(57)【要約】【課題】任意の断面でのボーリング割れ目柱状図を迅速に作製可能で、かつ、所定のボーリング位置における割れ目の分布を評価するための指標を提供する。また、複数のボーリング割れ目柱状図を基に、割れ目の分布を加味した地層構成図の作製方法を提供する。【解決手段】入力された割れ目の位置・方向・開口幅を基にボーリング孔立体情報を形成させる割れ目情報入力処理と、集合状態にある２個以上の割れ目を一つの割れ目集合体としてグループ化し、該グループ化は、２個以上の割れ目を、隣接する割れ目間の距離の上限値に応じて階層的に次数の異なる割れ目の群として区分けして行う割れ目解析処理と、割れ目の幾何学的な性状の分布を把握するために、ボーリング孔の所定長さ単位に、幾何学的な性状に関する物理量の演算及びその演算結果の表示を行う割れ目幾何学量解析処理とによってボーリング割れ目柱状図を作製する。【選択図】図１
2014211374.tif 000002
【特許請求の範囲】
【請求項１】
ボアホールテレビ観測により取得されるボーリング孔中の割れ目の位置・方向・開口幅を基に割れ目柱状図を作製するボーリング割れ目柱状図作製方法であって、
集合状態にある２個以上の前記割れ目を一つの割れ目集合体としてグループ化し、該グループ化は、前記２個以上の割れ目を、隣接する割れ目間の距離の上限値に応じて階層的に次数の異なる割れ目の群として区分けして割れ目解析処理を行うことを特徴とするボーリング割れ目柱状図作製方法。
【請求項２】
ボアホールテレビ観測により取得されるボーリング孔中の割れ目の位置・方向・開口幅を基に割れ目柱状図を作製するボーリング割れ目柱状図作製方法であって、
入力された割れ目の位置・方向・開口幅を基にボーリング孔立体情報を形成させる割れ目情報入力処理と、
集合状態にある２個以上の前記割れ目を一つの割れ目集合体としてグループ化し、該グループ化は、前記２個以上の割れ目を、隣接する割れ目間の距離の上限値に応じて階層的に次数の異なる割れ目の群として区分けして行う割れ目解析処理と、
前記割れ目の幾何学的な性状の分布を把握するために、ボーリング孔の所定長さ単位に、前記幾何学的な性状に関する物理量の演算を行う割れ目幾何学量解析処理とを有することを特徴とするボーリング割れ目柱状図作製方法。
【請求項３】
前記２個以上の割れ目の隣接する割れ目間の距離及び前記割れ目の群として同じ次数に区分けされる前記割れ目の数にそれぞれ上限値を設け、該上限値のそれぞれを距離基準値及び個数基準値として定義し、前記２個以上の割れ目が連続して前記距離基準値を下回り、かつ、前記距離基準値を下回る割れ目の数が前記個数基準値以上の場合に、前記距離基準値を下回るすべての割れ目を一つの割れ目集合体としてグループ化する割れ目解析処理を行うことを特徴とする請求項１又は２に記載のボーリング割れ目柱状図作製方法。
【請求項４】
前記距離基準値は前記次数ごとに異なる値を設定し、低次数の距離基準値＜高次数の距離基準値であることを特徴とする請求項３に記載のボーリング割れ目柱状図作製方法。
【請求項５】
前記割れ目情報入力処理は、前記ボアホールテレビ観測により取得される岩盤中の割れ目の位置・方向・開口幅を基に、ボーリング孔立体像を形成させ、該ボーリング孔立体像を基に、任意に指定された方向に合わせた断面のボーリング割れ目柱状図を作製することを特徴とする請求項１乃至４の何れかの請求項に記載のボーリング割れ目柱状図作製方法。
【請求項６】
前記割れ目幾何学量解析処理において、前記割れ目の幾何学的な性状の分布を把握するための評価指標が、ボーリング孔立体像を基に、任意に指定された長さ単位のボーリング深度毎に演算する前記割れ目の密度分布と、前記割れ目の開口幅、周長、帯面積及び体積のいずれか一つの分布とを含むことを特徴とする請求項２に記載のボーリング割れ目柱状図作製方法。
【請求項７】
請求項１〜６の何れかの請求項に記載の方法によって作製されたボーリング割れ目柱状図を用いて、入力によって選択された複数のボーリング孔のボーリング割れ目柱状図と、前記選択された複数のボーリング割れ目柱状図の関連の入力情報とを基に、ボーリング孔間の割れ目の関連を決定するボーリング孔間連係処理を行うことを特徴とするボーリング割れ目柱状図作製方法。
【請求項８】
請求項５に記載の方法によって作製するボーリング割れ目柱状図の表示方法であって、前記任意に指定された方向に合わせた断面のボーリング割れ目柱状図と、ボーリング孔全長にわたる指定断面ボーリング割れ目柱状図と、指定された長さ単位の部分柱状図および／あるいはＢＴＶ画像とを同時に表示するボーリング割れ目柱状図の表示方法。
【発明の詳細な説明】
【技術分野】
【０００１】
本発明は、ボアホールテレビカメラ（bored hole television-camera、以下、ＢＴＶと称す。）によるボーリング孔内の観測された展開画像を基に、任意の断面でのボーリング割れ目柱状図を作製するボーリング割れ目柱状図作製方法に関する。
詳しくは、ＢＴＶから得られるボーリング孔内の観測された展開画像を基に、任意の断面でのボーリング割れ目柱状図を作製し、かつ、所定のボーリング位置における割れ目の分布を評価するための指標を演算する。さらには、複数のボーリング割れ目柱状図を基に、割れ目の分布を加味した地層構成図の作製方法に関する。
【背景技術】
【０００２】
ボーリングデータは土木・建築事業において不可欠な地盤情報であり、ボーリング調査により毎年大量のデータが生成されている。このデータは地震防災、都市計画、環境保全などに極めて有用な国土の基盤情報であるため、知的基盤情報として利用可能な状態で保存されるべきものである。ただ、これまでのボーリングデータ、すなわちボーリング柱状図では地質・土質、岩級区分柱状図は作製されてきたが、岩盤中の割れ目を主題とする柱状図は作製されておらず、どんな割れ目が、どこに、どれだけ、どのように存在するのかを具体的に指し示されてはいなかった。割れ目の多くは不可視であり、露頭や坑道壁面以外の直接的な割れ目の目視は基本的にボーリングコアを用いたサンプル観察に依存し、また割れ目の記載は，ＢＴＶ観測による孔壁割れ目の展開図、割れ目頻度累積図、コアスケッチなどに基づき、'深度何ｍ付近に割れ目多し'といったように付記されていることが多い。これらは本来重要な情報であるが定量化が難しく、工学的なモデル化の背景に埋没していることが多かった。また柱状図に関連する割れ目解析の主なデータソースは、ＢＴＶ観測による孔壁割れ目の展開図、割れ目頻度累積図、あるいはコアスケッチ等に限られており、割れ目解析断面を変更したい等の要求に対しては、その都度、手作業で作製し直す等の手間が必要であり、かつ、割れ目を評価する定量化された尺度がなく、利用面での応用が難しい状況であった。例えば、非特許文献１にあっては、ＢＶＴによるボーリング孔壁画像処理手法として、ＢＴＶ観測による展開画像の不連続面であるエッジを抽出・認識し、割れ目を特定する試行が行われているが、割れ目の分布を視覚的に孔間断面図に図示することに向けた応用的・実用的な技術にはなっていなかった。
【０００３】
一方、割れ目解析では、地中のサンプルブロックを切り出し、このサンプルブロックの割れ目の大きさ等の解析と、そのサンプルブロックを使った透水試験を行うことで、割れ目と透水性（透水係数）等を把握する方法が一部に行われている。しかしながら、この方法は地中のサンプルブロックを切り出しての破壊試験であり、サンプルブロックの局所的な割れ目と透水性（透水係数）等との試験データから、切り出しを行っていない場所に存在する割れ目の状況を把握することは困難であるため、有効的に他に活用できる状態ではなかった。
【先行技術文献】
【非特許文献】
【０００４】
【非特許文献１】ボーリング孔壁画像処理手法とその解析について  亀和田氏外  応用地質34巻第6号1994  Journal of the Japan Society of Engineering Geology 34-6
【発明の概要】
【発明が解決しようとする課題】
【０００５】
従来技術に記載の問題点を解決するために、割れ目が、どこに、どれだけ、どのように分布するかに注目し、任意の断面でのボーリング割れ目柱状図を迅速に作製可能で、かつ、所定のボーリング位置における割れ目の分布を評価するための指標を提供し、同時に、複数のボーリング割れ目柱状図を基に、割れ目の分布を加味した地層構成図の作製方法を提供することを課題とする。
【課題を解決するための手段】
【０００６】
本発明の第１の発明は、ＢＴＶ観測により取得されるボーリング孔中の割れ目の位置・方向・開口幅を基に割れ目柱状図を作製するボーリング割れ目柱状図作製方法であって、集合状態にある２個以上の前記割れ目を一つの割れ目集合体としてグループ化し、該グループ化は、前記２個以上の割れ目を、隣接する割れ目間の距離の上限値に応じて階層的に次数の異なる割れ目の群として区分けして割れ目解析処理を行うことを特徴とするボーリング割れ目柱状図作製方法である。
【０００７】
本発明の第２の発明は、ＢＴＶ観測により取得されるボーリング孔中の割れ目の位置・方向・開口幅を基に割れ目柱状図を作製するボーリング割れ目柱状図作製方法であって、
入力された割れ目の位置・方向・開口幅を基にボーリング孔立体情報を形成させる割れ目情報入力処理と、
集合状態にある２個以上の前記割れ目を一つの割れ目集合体としてグループ化し、該グループ化は、前記２個以上の割れ目を、隣接する割れ目間の距離の上限値に応じて階層的に次数の異なる割れ目の群として区分けして行う割れ目解析処理と、
前記割れ目の幾何学的な性状の分布を把握するために、ボーリング孔の所定長さ単位に、前記幾何学的な性状に関する物理量の演算を行う割れ目幾何学量解析処理とを有するボーリング割れ目柱状図作製方法である。
【０００８】
本発明の第３の発明は、第１又は第２の発明に付加して、前記２個以上の割れ目の隣接する割れ目間の距離及び前記割れ目の群として同じ次数に区分けされる前記割れ目の数にそれぞれ上限値を設け、該上限値のそれぞれを距離基準値及び個数基準値として定義し、前記２個以上の割れ目が連続して前記距離基準値を下回り、かつ、前記距離基準値を下回る割れ目の数が前記個数基準値以上の場合に、前記距離基準値を下回るすべての割れ目を一つの割れ目集合体としてグループ化する割れ目解析処理を行うボーリング割れ目柱状図作製方法である。
【０００９】
第４の発明は、第３の発明に付加して、前記距離基準値は前記次数ごとに異なる値を設定し、低次数の距離基準値＜高次数の距離基準値であるボーリング割れ目柱状図作製方法である。
【００１０】
第５の発明は、第１乃至第４の何れかの発明に付加して、前記割れ目情報入力処理が、前記ＢＴＶ観測により取得されるボーリング孔中の割れ目の位置・方向・開口幅を基に、ボーリング孔立体像を形成させ、該ボーリング孔立体像を基に、任意に指定された方向に合わせた断面のボーリング割れ目柱状図を作製するボーリング割れ目柱状図作製方法である。
【００１１】
第６の発明は、第２の発明に付加して、前記割れ目幾何学量解析処理において、前記割れ目の幾何学的な性状の分布を把握するための評価指標が、ボーリング孔立体像を基に、任意に指定された長さ単位のボーリング深度毎に演算する前記割れ目の密度分布と、前記割れ目の開口幅、周長、帯面積及び体積のいずれか一つの分布とを含むボーリング割れ目柱状図作製方法である。
【００１２】
第７の発明は、第１〜第６の何れかの発明によって作製されたボーリング割れ目柱状図を用いて、入力によって選択された複数のボーリング孔のボーリング割れ目柱状図と、前記選択された複数のボーリング割れ目柱状図の関連の入力情報とを基に、ボーリング孔間の割れ目の関連を決定するボーリング孔間連係処理を行うためのボーリング割れ目柱状図作製方法である。
【００１３】
第８の発明は、第５の発明によって作製するボーリング割れ目柱状図の表示方法であって、前記任意に指定された方向に合わせた断面のボーリング割れ目柱状図と、  ボーリング孔全長にわたる指定断面ボーリング割れ目柱状図と、指定された長さ単位の部分柱状図および／あるいはＢＴＶ画像とを同時に表示するボーリング割れ目柱状図の表示方法である。
【発明の効果】
【００１４】
本発明によれば、まず、ボーリング孔に対する割れ目に関する情報を、ＢＶＴ計測データならびに詳細の割れ目解析データを立体的な情報として収集、記憶することによって、利用者が必要な方向の割れ目柱状図を作成することができる。
また、割れ目を隣接度、密集度等によって解析することにより、割れ目を複数の階層構成の集合体と見做し、割れ目集合体の階層構成を明確にすることができる。
また、ボーリング孔の単位長さ当りあるいは割れ目集合体毎の割れ目幾何学量解析処理を行うことによって、割れ目あるいは割れ目群に対する定量化を実現できる。
また、割れ目あるいは割れ目群に対する割れ目幾何学量解析処理による定量化によって、従来、サンプルデータとしての透水係数他の試験であったものが、ボーリング孔の特定部分の透水係数を把握することで、本発明の割れ目集合体との関連の基、透水係数と割れ目密度等の相関度の把握を実現できる。
さらに、ボーリング孔毎の割れ目柱状図とそれに対応する割れ目地層柱状図とを対表示し、関連性の入力をすることによって、より情報量の多い割れ目柱状図の作製が実現できる。
【図面の簡単な説明】
【００１５】
【図１】本発明の概略処理手順の一実施例を示す図である。
【図２】本発明の割れ目情報入力処理の手順の一実施例を示す図である。
【図３】本発明のＢＶＴ情報として取り込んだＢＶＴデータ一覧を帳票形式で表した図である。
【図４】本発明で作製した割れ目柱状図の出力例を示す図である。
【図５】本発明の割れ目階層解析処理についての割れ目の構成、次数階層を模式的に示す図である。
【図６】本発明の割れ目階層解析処理における次数階層解析のデータを帳票記式で示す図である。
【図７】本発明の割れ目階層解析処理の処理手順の一実施例を示した図である。
【図８】本発明の割れ目幾何学量解析に対する解析パターンを模式的に示した図である。
【図９】本発明の割れ目密度を演算結果の一実施例を示す図である。
【図１０】本発明の割れ目幾何学量解析・演算の使用する演算項目の定義を示す図である。
【図１１】本発明の割れ目幾何学量解析・演算の使用する演算項目で、割れ目部分の定義を示す図である。
【図１２】本発明の割れ目幾何学量解析におけるその他の割れ目幾何学量解析の一実施例を示す図である。
【図１３】本発明の実施例２及び３において切削を行ったボーリング孔の位置と形状を示す図である。
【図１４】本発明の実施例２において割れ目階層解析処理を行った結果を示す図である。
【図１５】本発明の実施例３においてボーリング孔間連係処理に関する処理手順を示す図である。
【図１６】本発明の実施例３で行ったボーリング孔間連係処理の結果を示す図である。
【発明を実施するための形態】
【００１６】
本発明について、図１を基にその概要を説明する。
本発明は、コア観察とボアホールテレビ観測により取得されるボーリング孔中の割れ目の位置・方向・開口幅を入力することによりボーリング孔立体情報を形成させる割れ目情報入力処理ＳＡステップと、割れ目の集合状態を基に割れ目の集合次数区分付けを行うことで割れ目集合体の階層構成を形成させる割れ目階層解析処理ＳＢステップと、ボーリング孔の所定長さ単位に割れ目の幾何学的な物理量の演算を行う割れ目幾何学量解析処理ＳＣステップとを有するボーリング割れ目柱状図作製方法である。
【００１７】
割れ目情報入力処理ＳＡステップは、ＢＴＶ観測により取得されるボーリング孔中の割れ目の位置・方向・開口幅を基に、ボーリング孔立体像を形成させ、このボーリング孔立体像を基に、任意に指定された方向に合わせた断面のボーリング割れ目柱状図を作製する。また、任意に指定された方向に合わせた断面のボーリング割れ目柱状図は、ボーリング孔全長にわたる指定断面ボーリング割れ目柱状図と、指定された長さ単位の部分柱状図および／あるいはＢＴＶ画像とを同時に表示するように構成する。
【００１８】
割れ目階層解析処理ＳＢステップは、指定された割れ目間の距離基準値に沿って、１〜Z次の階層構成の割れ目集合を形成させる。この指定された割れ目間の距離基準値は、１〜Z次毎に異なる距離の値をとるものである。ここで、Zは、求める割れ目の最大次数である。
【００１９】
割れ目幾何学量解析処理ＳＣステップは、前記のコア立体像を基に、任意に指定された長さ単位のボーリング深度毎に、割れ目の評価指標を演算するものであり、割れ目の評価指標は、割れ目の密度分布と、割れ目の開口幅、周長、帯面積、及び体積のうちのいずれか一つの分布とを含む。
【００２０】
ボーリング孔間連係処理ＳＤステップは、入力によって選択された複数のボーリング孔のボーリング割れ目柱状図と、選択された複数のボーリング割れ目柱状図の間の関連の入力情報とを表示し、表示内容から、複数のボーリング孔間の割れ目の関連を決定する。なお、このＳＤステップは、目的によって省略することもある。
【００２１】
工学的判断支援ＳＥステップは、前記ＳＡステップからＳＤステップまでの処理の結果、所望のボーリング割れ目柱状図、割れ目階層解析処理、さらには割れ目幾何学量解析処理となっているかを判断する。ＮＯの場合は、前記ＳＡステップからＳＤステップのパラメータを変更して処理を繰り返すステップである。この場合のパラメータは、割れ目観測時の最小割れ目開口幅、割れ目階層解析処理時の割れ目間の距離基準値、等である。
【００２２】
なお、以上に記載の処理は、入出力装置、表示装置、ならびにポインティングデバイスを備えた汎用のパーソナルコンピュータによって行う。
【００２３】
［実施例１］
本発明の実施例1として、ＳＡ〜ＳＣステップまでの詳細を説明する。
【００２４】
〔割れ目情報入力処理（ＳＡステップ）〕
ＳＡステップの処理内容を図２、図３によって説明する。使用するデータは、ボーリング孔の固有データであるボーリング孔の位置、方向、孔長、孔径のボーリング孔諸元データと、ＢＶＴ計測データである個々の割れ目の位置（割れ目中心深度）、傾斜方向（真北基準の走行傾斜）、開口幅（見かけ平均）等の割れ目に関する基本的な幾何学的物理量データとをＢＶＴ情報として取り込み表示するＳＡ１ステップ、ＳＡ１ステップで表示された割れ目に着目し、割れ目か否かの判断結果と開口幅計測不能の割れ目等の選択情報を補正入力する割れ目情報取り込みのＳＡ２ステップ、すべての割れ目情報の取り込みが完了するまで繰り返し実行するＳＡ３ステップ、ＳＡ１ステップ〜ＳＡ３ステップまでの処理の後、取り込んだ情報を基に割れ目情報を織り込んだボーリング孔立体情報を形成させるＳＡ４ステップ、所望の断面方向の指定に沿ってボーリング孔立体情報から指定断面ボーリング割れ目柱状図を作製するＳＡ５ステップ、ＳＡ５ステップで作製した指定断面ボーリング割れ目柱状図を表示するＳＡ６ステップから構成する。
【００２５】
図３は、ＢＶＴ情報として取り込んだＢＶＴデータ一覧を帳票形式で表現したものであり、ＢＶＴデータ一覧としての孔番、孔長、孔角度(俯角、仰角)、孔径で構成し、ＢＶＴ計測データとしての割れ目中心深度、真北基準の割れ目の走向傾斜、見かけの開口幅、さらには割れ目の性状等の情報で構成する。
【００２６】
図４は、割れ目柱状図の出力例を示す。ａ）はボーリング孔全長にわたって展開した割れ目の分布状況を示す割れ目柱状図（孔径拡大版）であり、断面方向の指定に沿ってボーリング孔立体情報から指定断面に投影し、指定断面ボーリング割れ目柱状図としたものである。また、ｂ）は、ａ）に示すボーリング孔の縦方向の割れ目の中心部分の分布状況を、縦方向の所定の長さを切り出し、拡大して横に並べて表示した割れ目柱状図（拡大版）であり、本例では、１ｍの長さ単位に表示している。この長さは任意に設定することができるが、最大でも２〜３ｍ程度の設定である。さらに、必要に応じて、ｃ）のボーリング孔の部分拡大図、ｄ）ボーリング孔の部分拡大図に合わせたＢＶＴ撮影画像を選択表示することができる。
【００２７】
〔割れ目階層解析処理（ＳＢステップ）〕
ＳＢステップの処理内容を図５〜図７によって説明する。
ここで、本説明で使用する各記号を次のように定義する。
・d：割れ目集合体の次数で０〜Z次、０次は単一割れ目を表す
・D(0,m)：０次割れ目（単一割れ目）のｍ番目の割れ目深度
・L(0,m）：０次割れ目（単一割れ目）のｍ番目の割れ目間隔で、
L(0,m)＝D(0,m+1)−D(0,m)
・K(d)  ：ｄ次割れ目間隔の上限値（距離基準値）
・P(d)  ：ｄ次割れ目に含まれる最少割れ目個数（距離基準値）
・Z     ：求める割れ目の最大次数
・JISUNO：一つの割れ目集合体に含まれる低次の割れ目集合体の一貫番号
・KOSU  ：一つの割れ目集合体に含まれる低次の割れ目集合体の個数
・ST(d,JISUNO):d次の割れ目集合体の内の一つの割れ目集合体の開始となるd-1次の割れ目集合体番号
・ED(d,JISUNO): d次の割れ目集合体の内の一つの割れ目集合体の終了となるd-1次の割れ目集合体番号
・MEM(d,JISUNO): d次の割れ目集合体の内の一つの割れ目集合体に含まれるd-1次の割れ目集合体の開始、終了を除くd-1次の割れ目集合体番号
・SYG(d,JISUNO): d次の割れ目集合体の内の一つの割れ目集合体に含まれるd-1次の割れ目集合体の総数
・JISUNO−MAX(d): d次の割れ目集合体の総数
【００２８】
図５のａ）は、前述のＢＶＴ情報から、割れ目深度D(d,m)を抽出したデータである。さらに、これらの割れ目深度データから、L(0,m)=D(0,m)-D(0,m-1)を演算し割れ目間隔L(d,m)とした。ここで、割れ目深度D(d,m)は、割れ目深度中央値を使用する。また、ｍは割れ目の一貫番号である。これらのデータとボーリング孔の関係を模式的に示したものが図５のｂ）である。
この図５のｂ）を利用して、割れ目階層解析処理の概要を示し、さらに、図６に示す表によって詳細の処理内容を説明する。
【００２９】
前述の割れ目間隔の演算により割れ目間隔L(d,m)として割れ目間隔１、２、・・、割れ目間隔ｍが演算される。最深の割れ目ｍに対する割れ目間隔は、割れ目深度D(d,m)−ボーリング孔底にて代用する。
【００３０】
本割れ目階層解析処理について、次数解析処理の最大次数を３とし、次数区分を行う割れ目間隔の上限値（距離基準値）K(d)として、１次数K(1)では０．２０ｍ、２次数K(２)では０．３０ｍ、３次数K(３)では０．４０ｍとし、各次数に含まれる下位の次数の個数の上限値（個数基準値）として、１次数P(１)では０次数の割れ目が３個、２次数P(２)では１次数の割れ目集合が２個、３次数P(３)では２次数の割れ目集合が３個と設定した。
【００３１】
ここで、割れ目間隔の上限値（距離基準値）は、任意の値を設定することができる。ただ、本発明では説明していないがボーリングコアで得られる地層柱状図との対比解析することを考慮し、最大でボーリングコアの長さ程度の１ｍ程度が好ましい。また、割れ目間隔の上限値（距離基準値）の大きさは、１次数割れ目間隔の上限値（距離基準値）＜２次数割れ目間隔の上限値（距離基準値）＜・・・＜ｄ次数の割れ目間隔の上限値（距離基準値）＜・・・＜Z次数の割れ目間隔の上限値（距離基準値）とし、Z次数の割れ目間隔の上限値（距離基準値）が最大でボーリングコアの長さの１ｍ程度とする。
また、最大のZ次数については、本実施例では３次数で説明しているが、通常は３次数でも実用に供しうるが、最大でも５次数程度を考慮すれば充分である。
【００３２】
１次数について、割れ目間隔１、２は、いずれも１次数K(1)が０．２０未満であるが、割れ目間隔３においては、１次数K(1)より大きいことから、割れ目間隔１〜３が１次数の一つのグループとなり、割れ目４以降は別のグループと見做される。同様に、割れ目４以降が次の１次数のグループとなる。
この時、図６のａ）1次集合体（ｄ＝１）のJISUNO＝１に示すように、該割れ目集合体に含まれる割れ目番号の最初と最後を除く割れ目番号を、集合体に包含される割れ目として、MEM(1,JISUNO)に記憶する。同時に、該割れ目集合体に含まれる割れ目の総数を割れ目集合内体の個数として、SYG(1,JISUNO)に記憶する。
割れ目７は、割れ目間隔７が１次数（K(1)）の０．２０よりも大きい。従って、割れ目７は１次数の一つのグループと判断してもよいが、前記１次数（K(1)）に含まれる割れ目数の最少個数P(１)よりも少ないため、１次数の集合とは見做さず無視する。（図５のｂ）の※１）
さらに、割れ目８以降の処理を行い、割れ目８〜割れ目１２が１次数の１グループとなる。同様に、最深割れ目ｍ迄の処理を行い１次数集合体の解析を終了する。（※２は、前記※１と同じ理由にて無視される。）
【００３３】
つぎに、２次数については、前記１次数の解析の結果、集合体と見做された割れ目集合体、例えば、本例では１次集合体JISUNO＝１〜４が解析の対象となる。
１次数の解析結果から、１次集合体JISUNO＝１〜４について、K(２)＝０．３ｍ、P(２)＝２個の比較を行うことで、２次数の集合体解析を行う。その結果、本例では１次集合体のJISUNO＝１と２が同一次数グループとして２次集合体JISUNO＝１、１次集合体のJISUNO＝４、・・、が２次集合体JISUNO=２となる。ここで、１次集合体JISUNO＝３は、P(２)よりも個数が少ないため無視される。（図５ｂ）の※３）
また、図６ｂ）２次集合体（ｄ＝２）のJISUNO＝１に示すように、該割れ目集合体に含まれる割れ目番号の最初と最後を除く割れ目番号を、集合体に包含される割れ目として、MEM(2,JISUNO)に記憶する。同時に、該割れ目集合体に含まれる割れ目の総数を割れ目集合体内の個数として、SYG(2,JISUNO)に記憶する。
さらに、２次集合体（ｄ＝２）のJISUNO＝２以降の処理を１次集合体の全てが完了する迄、処理を行う。
【００３４】
以上の処理の内容を図７のフローチャートで説明する。
ＳＢ１ステップでは、入力装置からのｄ次割れ目間隔の上限値としてK(d)、ｄ次割れ目の最少個数としてP(d)、解析する最大集合体次数としてＺを入力し、本システムの初期値設定を行う。
【００３５】
ＳＢ２ステップでは、ＢＶＴ情報を基に、ボーリング孔側から順に割れ目の続き番号としてｍ＝１〜ＭＡＸ（ＭＡＸ＝Z）を付与する。
【００３６】
ＳＢ３ステップでは、前記ＭＡＸ情報を割れ目の最大数として設定し、割れ目に対する処理が完了したか否かの制御に利用する。
【００３７】
ＳＢ４ステップでは、次数集合体処理を行うための制御用データとして、ｍ＝１と初期設定する。
【００３８】
ＳＢ５ステップ、ＳＢ６ステップでは、ＢＶＴ情報からの割れ目深度ｄ(m)を基に各割れ目の割れ目間隔L(m)=D(m)−D(m+1)を演算する。演算の結果、ｍ＝ＭＡＸよりも小さい場合には、ＳＢ９ステップにおいて、ｍ＝ｍ＋１の処理を行い、ＳＢ５ステップに戻り、次の割れ目に対する処理を行う。
【００３９】
ＳＢ７ステップでは、ｍ＝ＭＡＸの最深の割れ目に対しての割れ目間隔L(m)=ボーリング深さ−D(0,m)を演算する。
【００４０】
ＳＢ８ステップでは、次数解析処理の初期設定として、ｍ＝１、ｄ＝１、SYG()＝０、KOSU＝０、JISUNO＝１と設定する。
【００４１】
ＳＢ１０ステップは、ｄ次割れ目間隔の上限値（距離基準値）と各割れ目間隔との比較を行う。ｄ次割れ目間隔の上限値（距離基準値）よりも割れ目間隔が大きい場合は、ＳＢ１５ステップの処理に移行し、一つの割れ目集合体の終了処理を行う。
割れ目間隔がｄ次割れ目間隔の上限値（距離基準値）以下の場合には、ＳＢ１１ステップに移行する。
【００４２】
ＳＢ１１ステップでは、ｍと1との比較を行い、ｍ＝１の場合、すなわち一つの集合体の先頭の割れ目の場合には、ＳＢ１４ステップの処理に移行する。ｍ＝１と異なる場合には、一つの集合体に含まれる先頭、あるいは最後尾の割れ目とは異なると判断し、ＳＢ１２ステップへ移行する。
【００４３】
ＳＢ１２ステップでは、一つの集合体の途中段階の割れ目であることから、集合体に含まれる割れ目番号としてＭＥＭ(d,JISUNO)へ記憶する。
【００４４】
ＳＢ１３ステップでは、ｍ＝ｍ＋１、KOSU＝KOSU＋１を設定し、次の割れ目の処理を行うためにＳＢ１０ステップへ移行する。
【００４５】
ＳＢ１４ステップでは、一つの集合体の先頭の割れ目について、ＳＴ(d,JISUNO)の割れ目番号とその割れ目深度を記憶し、その後、ＳＢ１３ステップへ移行する。
【００４６】
ＳＢ１５ステップでは、一つの集合体のまとめ処理として、ｄ次割れ目に含まれる最少割れ目個数（個数基準値）Ｐ(d)とKOSUとの比較を行い、一つの集合体と見做されるか否かの判断を行う。Ｐ(d)＞KOSUの場合は、集合体内に含まれる割れ目の数が少なく、集合体とは見做さないと判断し、SB１７ステップへ移行する。
Ｐ(d)≦KOSUの場合には、集合体内に含まれる割れ目の数が個数基準値以上であり、一つの集合と見做し、ＳＢ１６ステップの処理へ移行する。
【００４７】
ＳＢ１６ステップでは、一つの集合体が構成されたと判断され、ＳＹＧ(d,JISUNO)へJISUNOを記憶、ＥＤ(d,JISUNO)へ割れ目番号と割れ目深度を記憶、さらに、JISUNO-MAX(d)へJISUNOを記憶する。
【００４８】
ＳＢ１７ステップでは、次の一つの集合体の解析のためにJISUNO=JISUNO+1を演算し、ＳＢ１８ステップへ移行する。
【００４９】
ＳＢ１８ステップでは、JISUNO-MAX(d-1)とｍとの比較を行い、割れ目集合体解析が終了したか否かの判断を行う。JISUNO-MAX(d-1)≧ｍの場合には、ある次数の割れ目集合体解析が未終了としてＳＢ１０ステップへ移行する。JISUNO-MAX(d-1)＜ｍの場合には、ある次数の割れ目集合体解析が終了したと判断し、ＳＢ１９ステップへ移行する。
【００５０】
ＳＢ１９ステップでは、本処理の初期値として設定された最大次数の割れ目集合体解析が終了したか否かの判断を行う。Ｚ≦ｄの場合には、設定された最大次数の割れ目集合体解析が終了したと判断し、ＳＢ２２ステップへ移行する。
【００５１】
ＳＢ２０ステップでは、割れ目集合体を無視した場合が発生するため、無視した割れ目集合体を除外して割れ目間隔の再計算を行う。
【００５２】
ＳＢ２１ステップでは、ｍ＝１、ｄ＝ｄ＋１、ＫＯＳＵ＝０を設定し、次の集合解析の初期設定を行い、ＳＢ１０ステップへ移行し次の集合解析を行う。
【００５３】
以上の処理手順に従って行った次数解析結果を模式的に図５のｂ）の右側に記載した。また、実データによる処理結果を、中心深度ではなく、傾斜を持った割れ目として表現して適用した事例を図４のｅ）及びｆ）に示す。この図から、ボーリング孔の深さ０．００〜５．００ｍの位置に１番目の２次割れ目集合体が存在し、その割れ目集合体は、２つの１次集合体割れ目によって構成されている。さらに、ボーリング孔の深さ１０〜２０ｍの位置に２番目の２次割れ目集合体が存在し、４つの１次割れ目集合体によって構成されている。この図からもわかるように、ボーリング孔全体に対しての割れ目の１次集合体の位置、分布ならびに２次集合体の位置、分布、さらには、図示していないが、指定することによってｄ次集合体の構成迄を明確に把握することができる。
【００５４】
これまで説明した割れ目階層解析処理の特徴をまとめると、次の通りである。
［１］ある次数の割れ目集合体中に抱合される、ひとつ次数の低い割れ目集合体における割れ目間の距離の上限値及び個数の上限値を、それぞれ「距離基準値」及び「個数基準値」として規定する。
［２］「距離基準値」及び「個数基準値」は、割れ目集合体（一次）であれば、その中に抱合される単一割れ目（０次割れ目）間の中心―中心間距離及び個数の上限値であり、割れ目集合体（二次以上）であれば、その中に包含される次数が一つ低い割れ目集合体間の側面―側面間距離及び個数の上限値となる。ここで、割れ目集合体（１次）において中心―中心間距離とするのは、単一割れ目は割れ目柱状図中で「線」（μm〜mmオーダーの開口幅は無視する）として認識されるためである。また、割れ目集合体（２次以上）において側面−側面間距離とするのは、割れ目集合体となると、割れ目柱状図中で「幅」として認識されるためである。
［３］一般にｄ次の割れ目集合体を定義するために、その中に包含される（ｄ−１）次の割れ目集合体どうしの距離および個数を指定する。両者のパラメータのなかで、割れ目集合体としてグループ化するために距離を優先して規定し、次いで個数の規定を行う。
［４］割れ目の各次数に包含される割れ目個数は、最少２個以上と指定しなければ、次数区分ができない。
【００５５】
このように、距離と個数を指定することにより、割れ目集合体どうしを、次数別に区別することができる。従来技術では、割れ目の次数という概念そのものがほとんど認識されておらず、また、割れ目を次数付けして記載する技術は確立されていなかった。そのため、割れ目の分布を評価するために利用できるようなボーリング割れ目柱状図の作製は行われてこなかった。それに対して、本発明は、割れ目の次数付けという新しい概念に基づいた割れ目柱状図の作成が可能となり、これにより「割れ目系の階層構造」を従来よりも高精度で評価することができるようになる。
【００５６】
このようにして作製したボーリング割れ目柱状図によってボーリング孔の注目している深さ付近にどの程度（割れ目の分散範囲、割れ目の分布密度等）の割れ目集合体が存在するかを確認できる。これによって、将来、何等かの施設を設置する場合には、注目している深さ付近には、割れ目によって生ずる透水現象を防止する措置が必要であるかを判断できる。さらには、後述する〔割れ目幾何学量解析処理〕の割れ目密度との関連によって、その透水現象を防止する措置をどの程度の仕様とすることが必要かを想定することができるようになる。
【００５７】
［割れ目幾何学量解析処理（ＳＣステップ）］
ＳＣステップの処理内容を図８〜１２によって説明する。
ボーリング孔における割れ目幾何学量の一つである割れ目密度の幾何学的表記法について、図８に示すようにボーリング孔と割れ目との組み合わせによる割れ目密度について考察した。すなわち、ボーリング孔の状態を線（１）、面（２）、立体（３）とし、割れ目の状態を点（０）、線（１）、面（２）、立体（３）として考察し、これらの組み合わせとして１２通りの状態が設定できる。
【００５８】
このうち本発明では、基本形として、ボーリング孔を線（１）とし、かつ、割れ目を点（０）としたＰ１０と、基本形を展開した、ボーリング孔を面（２）とし、かつ、割れ目を線（１）としたＰ２１、さらに、割れ目を面（２）としたＰ２２と、ボーリング孔の状態を立体（３）として、割れ目を面（２）としたＰ３２、さらに、割れ目を立体（３）としたＰ３３との５通りの形態で解析することとした。
【００５９】
この５通りの割れ目密度は、割れ目の開口幅（いわゆる割れ目の隙間）の取り扱いによって、次のような２つのグループ分けができる。
１）割れ目の開口幅を考慮しないグループ
これらは、いずれも割れ目の面の広がりが反映される割れ目の平面的な幾何学量であり、図８のＰ２１、Ｐ３２が該当する。
【００６０】
２）割れ目の開口幅を考慮するグループ
これらは、いずれも割れ目の開口幅が反映される割れ目の断面的な幾何学量であり、図８のＰ２２、Ｐ３３が該当する。
【００６１】
前記基本形と上記グループに対する割れ目密度は、次のように算出する。
（１）Ｐ１０の割れ目密度の演算
Ｐ１０は、コアを線とし、割れ目をその線上での点としたときの孔単位長さあたりの割れ目点数の密度（孔中心線上）であり、
Ｐ１０＝ｎ／ＵＬ （ｍ−１）                                      （１）
ここで、ｎはコア中心線上の割れ目点数(points)、ＵＬは孔単位長さ（ｍ）である。本例ではＵＬ＝１．０ｍとした。
【００６２】
（２）Ｐ２１の割れ目密度の演算
Ｐ２１は、コアを縦割り断面とし、割れ目をその面状上での線（割れ目の開口幅を考慮しない）としたときの、ボーリング孔単位長さあたりの割れ目長さの密度（縦割りコア断面上）であり、
Ｐ２１＝Σｌｓ／ＡＵＬ （ｍｍ／ｍｍ２）／ｍ                       （２）
ここで、Σｌｓは割れ目断面線長さの総和（ｍｍ）であり、ＡＵＬは孔単位長さあたりのコア縦断面積、ＡＵＬ＝２ｒ×ＵＬ（ｍｍ２）である。
【００６３】
（３）Ｐ２２の割れ目密度の演算
Ｐ２２は、コアを縦割り断面とし、割れ目をその面状での面（割れ目の開口幅を考慮する）としたときの、孔単位長さあたりの割れ目面積の密度（縦割りコア断面上）であり、
Ｐ２２＝Σａｓ／ ＡＵＬ （ｍｍ２／ｍｍ２）／ｍ                    （３）
ここで、Σａｓは割れ目断面積の総和（ｍｍ２）で、ＡＵＬは孔単位長さあたりのコア縦断面積（ｍｍ２）である。
【００６４】
（４）Ｐ３２の割れ目密度の演算
Ｐ３２は、コアを立体とし，割れ目をその立体内の平面（開口幅考慮しない）としたときの、孔単位長さあたりの割れ目平面積の密度であり、
Ｐ３２=ΣＡｐ ／ＶＵＬ （ｍｍ２／ｍｍ３）／ｍ                   （４）
ここで、ΣＡｐは割れ目平面積の総和（ｍｍ２）であり、ＶＵＬは孔単位長さあたりのコア体積（ｍｍ３）であり、ＶＵＬ=ＡＵＬ×ＵＬで演算される。
【００６５】
（５）Ｐ３３の割れ目密度の演算
Ｐ３３は、コアを立体とし、割れ目をその立体内の平板（開口幅考慮する）としたときの、孔単位長さあたりの割れ目体積の密度であり
Ｐ３３＝ΣＶｐ （ｍｍ３/ｍｍ３）／ｍ                          （５）
ここで、ΣＶｐは割れ目体積の総和（ｍｍ３）であり、ＶＵＬは単位長さあたりのコア体積（ｍｍ３）である。
【００６６】
図９に、図４に記載したＢＶＴ情報を基に演算したＰ１０、Ｐ２１とＰ３２（開口幅考慮なし）、Ｐ２２とＰ３３（開口幅考慮あり）の割れ目密度の分布を示す。本図では、割れ目密度を視覚的に判りやすくするために、ボーリング孔の割れ目の分布状態いわゆる割れ目柱状図を合わせて表示することにした。
【００６７】
この結果、割れ目の視覚的状態と数値化された割れ目密度とを同時に確認することができるようになった。これらの割れ目密度は、評価する事象に合わせて適宜選択して利用することができる。
【００６８】
また、背景技術の後段に記載したサンプルブロックによる割れ目解析で取得する割れ目と透水性（透水係数）等との試験データと、本発明の割れ目階層解析処理、ならびにそれに対応する割れ目密度とを照合し、該照合データを蓄積することによって、割れ目と透水性の関係を明らかにすることができる。結果として、ボーリング孔の注目している付近の透水性はどの程度かを推測することができる。
【００６９】
また、その他の割れ目幾何学量解析として、本発明には詳述しないが、ＢＶＴ情報から図１０、図１１に記載のデータ定義に沿って展開演算することにより、次のような解析結果を得ることができる。
【００７０】
（１）開口幅を考慮しないものとして
・Ａｐ（割れ目の平面積）
割れ目面の平面積（Ａｐ）は，次式で計算する。
Ａｐ＝πａｂ＝πｒ２／ｃｏｓθ                    （６）
ここで、ａは割れ目の楕円長半径（ｍｍ）、 ａ＝ｒ／ｃｏｓθ、ｂは割れ目楕円短半径（ｍｍ）、 ｂ＝ｒであり、ｒはボーリング孔半径（ｍｍ）、θはボーリング孔の中心軸に対する割れ目の傾斜角度である。
・ｌｃ（孔壁交差線長）
孔壁交差線周長（ｌｃ）は割れ目面の周長であり，次式で計算する。
ｌｃ＝２Ａｐ／ｒ＝２πｒ／ｃｏｓθ                （７）
・Ａｓｆ（割れ目の表面積）
割れ目楕円盤の表面積（Ａｓｆ）は、次式で計算する。
Ａｓｆ＝２Ａｐ＋ａｃ＝（２πｒ２/ｃｏｓθ）＋（２πｒ・ｔｏ／ｃｏｓθ)    （８）
・ｌｓ（縦割りコア断面の開口部の断面線長）
縦割りコア断面の割れ目開口部の断面線長（ｌｓ）は、次式で計算する。
ｌｓ＝２ｒ／ｃｏｓδ                             （９）
【００７１】
（２）開口幅を考慮するものとして
・ｔａ（みかけの開口幅）
・ｔｏ（真の開口幅）
真の開口幅（ｔｏ）は，次式で計算する。
ｔｏ＝ｔａ・ ｃｏｓθ                             （１０）
ここで、ｔａはみかけの開口幅を示す。
・ａｃ（孔壁交差開口部の帯面積）
孔壁交差開口部の帯面積（ａｃ）は、次式で計算する。
ａｃ＝ｌｃ・ｔｏ＝２πｒ・ｔｏ／ｃｏｓθ            （１１）
・Ｖｐ（割れ目の体積）
割れ目楕円盤の体積（Ｖｐ）は，次式で計算する。
Ｖｐ＝Ａｐ・ｔｏ＝（πｒ２／ｃｏｓθ）・ｔｏ         （１２）
・ａｓ（縦割りコア断面の開口部の断面積）
コア縦割り断面の割れ目開口部の断面積（ａｓ）は、次式で計算する。
ａｓ＝２ｒ・ｔａ=２ｒ・ｔｏ／ｃｏｓθ             （１３）
・ｔｓ（縦割りコア断面の開口幅）
縦割りコア断面の割れ目開口幅（ｔｓ）は、次式で計算する。
ｔｓ＝ｔａ・ｃｏｓδ＝（ｔｏ／ｃｏｓθ）cosδ    （１４）
【００７２】
これらの演算結果の内、開口幅を考慮するものとして、ｔａ（みかけの開口幅）、ｔｏ（真の開口幅）、ａｃ（孔壁交差開口部の帯面積）、Ｖｐ（割れ目の体積）、ａｓ（縦割りコア断面の開口部の断面積）の一例を図１２に示す。
この図から、ボーリング孔の単位深さ毎のその他の割れ目の幾何学的な物理量の状況を確認することができる。
【００７３】
さらに、割れ目を割れ目集合体とした場合に、割れ目がどの方向を向いているかが地層的には重要なファクターとなる。その程度を数値的に捉えるものとして、割れ目集合体毎の割れ目方向Θを次式により演算する。
・Θ＝Σ（θｎ×ｔｏｎ）／（Σｔｏｎ）                （１５）
ここで、θｎは、一つの集合体内のｎ番目の割れ目のボーリング孔の中心軸に対する割れ目の傾斜角度、ｔｏｎは一つの集合体内のｎ番目の割れ目の真の開口幅である。
【００７４】
この割れ目方向を、前記〔割れ目階層解析処理〕によって決定された割れ目集合体の１次〜ｍ次毎に演算を行うことによって、割れ目集合体毎にどの方向を向いているかを割れ目方向Θとして定量化することができる。
次に、本発明による効果を、以下の実施例２及び３によって具体的に説明する。
【００７５】
［実施例２］
図１３は、本実施例及び後述の実施例３において、サンプルブロックによる割れ目解析で取得する割れ目と透水性（透水係数）等との試験データを得るために切削を行ったボーリング孔の位置と形状を示す図である。図１３のａ）及びｂ）に示すように、地面に立坑を掘削し、その立坑の一部において横孔をＧＴＳ坑道として掘削し、該ＧＴＳ坑道の３ｍ地点に奥行６０ｍの１号ボーリング孔、９．８１ｍ地点に奥行４２ｍの２号ボーリング孔、１６．０２ｍ地点に奥行３０ｍの３号ボーリング孔を、１号から３号のボーリング孔が、略平面的に配置するように掘削した。
【００７６】
図１３に示す３本のボーリング孔の中で、例として１号ボーリング孔について作製したボーリング割れ目柱状図を図１４に示す。図１４には、割れ目柱状図（１）と、実施例１で行ったボーリング孔中心軸上の割れ目間隔を利用して行った割れ目階層解析処理の結果（３）と、この結果をボーリング孔中心軸上の割れ目間隔として表したもの（４）と、次数集合体毎の割れ目密度を表わしたもの（５）とを、合わせて表示している。割れ目密度は、例としてＰ３３（開口幅考慮あり）の値を表示したが、いずれの割れ目密度を使用することができる。
【００７７】
図１４に示すように、ボーリング孔中心軸上の割れ目間隔として表したもの（４）から、割れ目の密集度合を直感的に捉えることができ、また、低次数から高次数までの割れ目集合体の構成と割れ目密度との関係も簡単に把握できる。例えば、１Ｆ１、１Ｆ５、１Ｆ１０、１Ｆ１１に割れ目が密集しており、その密集部分の割れ目密度は、それぞれ０．００６、０．００８、０．０１５、０．００６と高い値となっている。特に、１Ｆ１０については割れ目密度が０．０１５と非常に高いことがわかる。２次集合体を見た場合には、１Ｆ３の割れ目集合体の割れ目密度が０．００６と高い値を示している。これらのことから、ボーリング孔の２８ｍ〜４４ｍ間においては、特に割れ目に起因する透水への対応が必要となることがわかる。これによって、図１３に示す方法で採取したサンプルブロックによる割れ目解析で取得する割れ目と透水性（透水係数）等の試験データとの対比が容易に実現でき、割れ目集合体の階層構成を明確に把握することが可能になる。
【００７８】
［実施例３］
実施例３として、図１３に示す３本のボーリング孔間でそれぞれの割れ目がどのように連係しているかを把握するために行ったボーリング孔間連係処理（ＳＤステップ）とそれによって得られる本発明の効果について説明する。
ＳＤステップの処理内容について、処理手順のフローチャートを図１５に示す。また、図１６は、具体的なボーリング孔間連係処理の結果を示す図である。
【００７９】
図１５において、まず、ＳＤ１ステップでは、ボーリング孔間連係処理の対象となるボーリング孔を複数指定するとともに、利用するデータについて予め指定する処理を行う。利用するデータとは、割れ目柱状図、コアの地層柱状図、さらには前記説明の割れ目集合体図等である。
【００８０】
ＳＤ２ステップでは、ＳＤ1ステップの指定に沿って、汎用パソコンに接続された記憶装置からボーリング孔別割れ目柱状図データ、ボーリング孔地層図、ボーリング孔別の割れ目幾何学量解析データ等の関連データの取り込み処理を行う。
【００８１】
ＳＤ３ステップでは、ＳＤ１ステップの指定、例えば、ボーリング孔１、２、３のような指定に従い、汎用パソコンの画面上に該当するボーリング孔の割れ目柱状図ならびに関連情報の画面表示を行う。
【００８２】
ＳＤ４ステップでは、つぎに説明するＳＤ５〜ＳＤ７ステップ、いわゆる線引き処理がすべて完了し、1対のボーリング孔間連係処理が終了したかの判定を行い、終了した場合にはＳＤ８ステップへ移行する。終了していない場合には、ＳＤ５ステップに移行する。
【００８３】
ＳＤ５ステップでは、対象となる２つのボーリング孔間の関連するポイントを、汎用パソコンでポインテイングし、線引きの始点、終点を設定する処理を行う。
【００８４】
ＳＤ６ステップでは、前記ＳＤ５ステップで指定した始点、終点間の線引きを行う。
【００８５】
ＳＤ７ステップでは、前記ＳＤ６ステップで行った線について、例えば、一つの割れ目の開始線と終了線のような1対となるものの指定処理を行う。その後、ＳＤ４ステップに戻る。
【００８６】
一方、ＳＤ８ステップでは、ＳＤ４ステップでの1対のボーリング孔間連係処理が終了したと判定に伴い、つぎに線引きの対象となるボーリング孔が存在するかの判定を行い、次の対象が存在する場合には、ＳＤ３ステップへ移行する。
つぎに、線引きの対象となるボーリング孔が存在せず、線引き処理が完了したと判定した場合には、ＳＤ９ステップへ移行して終了処理を行う。
【００８７】
ＳＤ９ステップの終了処理とは、前記ボーリング孔間連係処理が完了した後の表示形態へのデータ整理、ならびに表示のための準備処理を行うものである。
【００８８】
なお、ＳＤ１ステップ〜ＳＤ９ステップの処理は、人の指定に沿って汎用パソコンでの表示ならびに必要な処理を行うことで、マン−マシンコミニュケーション方式のシステムとするものである。
【００８９】
図１５に示す手順に従って各ボーリング孔に対するボーリング割れ目柱状図を作製し、それらのボーリング割れ目柱状図を図１６の（１）に表示した。つぎに、実施例１の割れ目階層解析処理によって作製した割れ目集合体の構成に基づき、１つの割れ目集合体に対して、最浅部の割れ目線（割れ目の傾きを反映したもの）と最深部の割れ目線割れ目の傾きを反映したもの）ならびにボーリング孔の両側線とで囲まれる領域を作製し、高次数集合体領域の上に、高次数集合体に含まれる低次数集合体領域を重ね合わせて作製したものを図１６の（２）に表示した。さらに、図１６の（３）には、実施例１で行ったボーリング孔中心軸上の割れ目間隔を利用して行った割れ目階層解析処理の結果を表示した。
【００９０】
本実施例の階層表示では、１号ボーリング孔には１次の割れ目集合体は１Ｆ１〜１Ｆ１２の１２個、２次の割れ目集合体は１Ｓ１〜１Ｓ３の３個、３次の割れ目集合体は１Ｔ１の１個、２号ボーリング孔には１次の割れ目集合体は２Ｆ１〜２Ｆ７の７個、２次の割れ目集合体は２Ｓ１〜２Ｓ２の２個、３号ボーリング孔には１次の割れ目集合体は３Ｆ１〜３Ｆ４の４個、２次の割れ目集合体は３Ｓ１の１個の構成となっている。
【００９１】
ここで、各割れ目集合体の割れ目方向を演算した結果を、各割れ目集合体の１Ｆ１〜１Ｔ１等の記号の近傍に枠網掛けで、ボーリング孔中心軸に対して直角面を角度０度として反時計回りを（＋）表示、時計回りを（−）として演算表示した。その結果、いずれの割れ目集合体の割れ目方向は（−）値であり、右下がりとなっている。
なお、画面表示は、いずれの割れ目集合体の割れ目方向も値が（−）値であり、右下がりの傾向であるため、ゴーリング孔の表示は、３号ボーリング孔、２号ボーリング孔、１号ボーリング孔の順に並べた。
【００９２】
具体的なボーリング孔間連係の線引き、すなわち、連係処理について説明する。
３号ボーリング孔の（２）の集合体領域で１番目の１次集合体３Ｆ１は、割れ目方向が（−）１０度であり、２号ボーリング孔の（２）の集合体領域の２Ｆ２に関連している可能性が高い。
【００９３】
従って、３Ｆ１の上端部を始点、２Ｆ２の上端部を終点として汎用コンピュータのポインテイングデバイスによって指定入力する。また、３Ｆ１の下端部を始点、２Ｆ２の下端部を終点としてポインテイングデバイスによって指定入力する。さらに、上端部の線と下端部の線とを１対の指定Ａ１を行うことで、図１６の破線表示の様に線引きし、かつ、１対の表示を行う。
【００９４】
つぎに、３Ｆ３の上端部を始点、２Ｆ３の上端部を終点として汎用コンピュータのポインテイングデバイスによって指定入力する。また、３Ｆ３の下端部を始点、２Ｆ３の下端部を終点としてポインテイングデバイスによって指定入力する。さらに、上端部の線と下端部の線とを１対の指定Ａ２を行うことで、図１６の破線表示の様に線引きし、かつ、１対の表示を行う。
ここで、３号ボーリング孔の３Ｆ２については、２号ボーリング孔に関連の可能性ある割れ目集合体が見いだせないため、Ｂ１に記載の様に１号ボーリング孔から２号ボーリング孔に向かって閉じ△で表示を行い、対応する割れ目集合なしを表示する。
【００９５】
一方、２号ボーリング孔の２Ｆ４を見ると、２Ｆ４に対応する可能性ある１号ボーリング孔の割れ目集合体が存在しないため、Ｃ１に記載の様に２号ボーリング孔から１号ボーリング孔に向かって閉じ△で表示を行い、対応する割れ目なしを表示する。
【００９６】
以上のような処理を、３号ボーリング孔と２号ボーリング孔の間、２号ボーリング孔と１号ボーリング孔の間において、すべての割れ目集合体に対する入力処理を行うことによってボーリング孔間連係処理を行い、割れ目柱状関連図の作製が完了する。
【００９７】
ここで、１号ボーリング孔〜３号ボーリング孔の間では、Ａ１とＡ３の割れ目集合体のつながり（１Ｆ３と２Ｆ２と３Ｆ１）、Ａ２とＡ４の割れ目集合体のつながり（１Ｆ５と２Ｆ３と３Ｆ３）の２つが大きく存在することが明確になる。かつ、それらの割れ目密度を演算することで、具体的な透水量等を推測できる。従って、１Ｆ３と２Ｆ２と３Ｆ１および１Ｆ５と２Ｆ３と３Ｆ３の深さの位置に何らかの施設を設置する場合には、この領域における透水等に関連する対応が必要であることが明確になり、その透水現象を防止する措置をどの程度の仕様とすることが必要かを想定することができる。
【００９８】
本実施例においては、さらに、ボーリングコアから解析されたボーリングコア地質柱状図を並行表示することによって、ボーリング割れ目柱状関連図とボーリングコア地質柱状図を一緒にした情報量の多い柱状図を作製することができる。
【００９９】
以上のように、各ボーリング孔間でそれぞれの割れ目がどのように連係しているかを明確に定量化して把握することができるため、従来、サンプルデータとしての透水係数他の試験であったものが、ボーリング孔の特定部分の透水係数を把握することで、本発明の割れ目集合体との関連の基、透水係数と割れ目密度等の相関度の把握を実現できるようになる。さらに、本発明は、ボーリング孔毎の割れ目柱状図とそれに対応する割れ目地層柱状図とを対表示し、関連性の入力をすることによって、より情報量の多い割れ目柱状図の作製が実現できる。
【図１】
2014211374.tif 000003
【図２】
2014211374.tif 000004
【図３】
2014211374.tif 000005
【図４】
2014211374.tif 000006
【図５】
2014211374.tif 000007
【図６】
2014211374.tif 000008
【図７】
2014211374.tif 000009
【図８】
2014211374.tif 000010
【図９】
2014211374.tif 000011
【図１０】
2014211374.tif 000012
【図１１】
2014211374.tif 000013
【図１２】
2014211374.tif 000014
【図１３】
2014211374.tif 000015
【図１４】
2014211374.tif 000016
【図１５】
2014211374.tif 000017
【図１６】
2014211374.tif 000018